(57)【要約】      （修正有）【課題】端末装置において、ある機能を利用するために複数の外部機器から、ＷＬＡＮネットワークのＩＤや暗号通信のための鍵などの設定情報を取得する必要がある場合にも、容易にその機能を利用できる状態になるようにユーザをサポートする。【解決手段】端末装置は、利用する機能をユーザが選択するための機能選択部と、機能選択部で選択された機能を利用するために必要な複数の外部機器のそれぞれについての設定情報を取得する設定情報取得部と、選択された機能及び設定情報取得部で取得された設定情報に基づいて、上記複数の外部機器のうち設定情報が不足している未設定外部機器を示す情報を通知する通知部と、を備える。【選択図】図１
2015053535.tif 000002
【特許請求の範囲】
【請求項１】
利用する機能をユーザが選択するための機能選択部と、該機能選択部で選択された機能を利用するために必要な複数の外部機器のそれぞれについての設定情報を取得する設定情報取得部と、を備えた端末装置であって、
前記選択された機能及び前記設定情報取得部で取得された前記設定情報に基づいて、前記複数の外部機器のうち前記設定情報が不足している未設定外部機器を示す情報を通知する通知部をさらに備えたことを特徴とする端末装置。
【請求項２】
前記通知部での通知後、前記未設定外部機器の前記設定情報が取得できた場合、前記選択された機能を利用可能な状態にすることを特徴とする請求項１に記載の端末装置。
【請求項３】
前記機能選択部は、前記複数の外部機器のうち所定の外部機器を選択することにより、前記利用する機能を選択することを特徴とする請求項１又は２に記載の端末装置。
【請求項４】
前記複数の外部機器の１つは、無線通信を行うためのアクセスポイントであることを特徴とする請求項１〜３のいずれか１項に記載の端末装置。
【発明の詳細な説明】
【技術分野】
【０００１】
本発明は、外部機器との有線及び／又は無線での接続が可能な端末装置に関する。
【背景技術】
【０００２】
機器の設定情報を非接触型ＩＣカードに書き込んでおき、非接触型ＩＣカードのリーダを搭載したＳＴＢ（Set Top Box）で上記非接触型ＩＣカードの情報を読み込ませることで、ＳＴＢに対して外部機器の設定を簡易に行えるシステムが提案されている（例えば、非特許文献１を参照。）。ここで、外部機器としては無線ＬＡＮ（ＷＬＡＮ：Wireless Local Area Network）のアクセスポイントが挙げられ、機器の設定情報としてはＷＬＡＮネットワークのＩＤや暗号通信のための鍵などが挙げられる。
【０００３】
また、特許文献１には、無線通信装置間を無線によって新たに接続するに際し、接続先の無線通信装置を簡単に認識し、接続することが可能な無線通信システムが開示されている。この無線通信システムでは、テレビジョン受像機にＳＳＩＤ（Service Set IDentifier）やＷＥＰ（Wired Equivalent Privacy）キー等の接続情報を変換した画像パターンを表示しておき、デジタルスチルカメラがその画像パターンを撮影して接続情報に再変換し、この接続情報を用いて無線によってテレビジョン受像機と接続している。
【０００４】
ところで、携帯電話機（スマートフォンと呼ばれるものも含む）やモバイルＰＣ（Personal Computer）等の端末装置では、テレビ装置、レコーダ機器などの様々な機器を利用した様々な機能が利用可能となっている。
【先行技術文献】
【特許文献】
【０００５】
【特許文献１】特開２００８−２１１５０７号公報
【非特許文献】
【０００６】
【非特許文献１】“ＲＦＩＤテクノロジＥｘｐｒｅｓｓニュース  近距離無線「ＮＦＣ」で家電製品を自動設定、フィリップスがデモ”、［online］、2006年8月17日、株式会社日経ＢＰ、［2013年7月23日検索］、インターネット＜ＵＲＬ：http://itpro.nikkeibp.co.jp/article/RFID/20060817/245831/＞
【発明の概要】
【発明が解決しようとする課題】
【０００７】
非特許文献１や特許文献１に記載のシステムでは、無線通信装置間の新たな接続を容易に行うことはできるが、様々な機能が搭載された端末装置においてある機能を利用するために、複数の機器から設定情報を取得する必要がある場合には、ユーザは、何の機器から設定情報を入手すればいいのか分からない、といった問題が生じる。
【０００８】
例えば、ＷｉＦｉ（登録商標。以下同様。）ルータ経由でネットワークに接続されているレコーダ機器をスマートフォンから操作して録画リストをスマートフォンの画面で閲覧したい場合には、ＷｉＦｉルータからのＷＬＡＮ接続情報のほか、レコーダ機器の機器識別情報も必要になる。しかしながら、ユーザは、どの機器から情報を取得すれば録画リストの表示機能が利用できるような設定ができるのかが分からない。
【０００９】
本発明は、上述のような実状に鑑みてなされたものであり、その目的は、端末装置において、ある機能を利用するために複数の外部機器から設定情報を取得する必要がある場合にも、容易にその機能を利用できる状態になるようにユーザをサポートすることにある。
【課題を解決するための手段】
【００１０】
上記の課題を解決するために、本発明は、利用する機能をユーザが選択するための機能選択部と、該機能選択部で選択された機能を利用するために必要な複数の外部機器のそれぞれについての設定情報を取得する設定情報取得部と、を備えた端末装置であって、前記選択された機能及び前記設定情報取得部で取得された前記設定情報に基づいて、前記複数の外部機器のうち前記設定情報が不足している未設定外部機器を示す情報を通知する通知部をさらに備えたことを特徴としたものである。
【発明の効果】
【００１１】
本発明によれば、端末装置において、ある機能を利用するために複数の外部機器から設定情報を取得する必要がある場合にも、容易にその機能を利用できる状態になるようにユーザをサポートすることができる。
【図面の簡単な説明】
【００１２】
【図１】本発明の端末装置を備えたシステムの一構成例を示すブロック図である。
【図２】図１の端末装置の主要部の一構成例を示すブロック図である。
【図３】図１のシステムを用いて録画リスト表示処理を実行するまでの設定処理の一例を説明するためのフロー図である。
【図４】図３の設定処理で表示される画面の例を示す図である。
【図５】図１のシステムを用いて録画リスト表示処理を実行するまでの設定処理の他の例を説明するためのフロー図である。
【図６】図１のシステムを用いて録画番組再生処理を実行するまでの設定処理の一例を説明するためのフロー図である。
【図７】図１の端末装置の動作の一例を説明するためのフロー図である。
【発明を実施するための形態】
【００１３】
本発明に係る端末装置は、外部機器との有線及び／又は無線での接続が可能な装置であり、このような端末装置としては、携帯電話機（スマートフォンと呼ばれるものも含む）、モバイルＰＣ、携帯情報端末等の携帯型の装置をはじめ、設置型のＰＣ等の装置も適用できる。以下、本発明に係る端末装置の様々な実施形態について、端末装置としてスマートフォン等の携帯端末装置（以下、単に携帯端末と言う）を例に挙げて説明する。
【００１４】
（第１の実施形態）
図１は、本発明に係る携帯端末を備えたシステムの一構成例を示すブロック図で、図２は、図１の携帯端末の主要部の一構成例を示すブロック図である。図１で例示するシステムは、外部機器の例としてのレコーダ２、ＷｉＦｉルータ３、テレビ装置（ＴＶ）４、及びＰＣ５が有線ＬＡＮに接続され、本発明に係る端末装置の一例としての携帯端末１がＷｉＦｉルータ３に無線接続され、ＷｉＦｉルータ３を介して上記有線ＬＡＮ内のレコーダ２、ＴＶ４、及びＰＣ５に接続可能となっている。
【００１５】
レコーダ２は、ＢＤ（Blu-ray［登録商標］ Disc）レコーダ等のレコーダ機器を指し、ＤＬＮＡ（Digital Living Network Alliance：登録商標。以下同様。）のＤＭＳ（Digital Media Server）として動作しており、録画した番組コンテンツを他のＤＭＰ（Digital Media Player）機器に対して配信することができる。携帯端末１は、ＤＬＮＡのＤＭＰに対応しており、ＤＭＳから配信された録画番組を端末上で再生させることができる。また、ＰＣ５もＤＭＳに対応しており、ＰＣ５内に保存したコンテンツを公開することができる。
【００１６】
ＴＶ４は、ＤＬＮＡのＤＭＲ（Digital Media Renderer）として動作する。ＴＶ４は、ＤＭＣ（Digital Media Controller）としても動作する携帯端末１から受け取った指示に従って、ＤＭＳに対し録画番組のコンテンツを要求し、再生させることができる。
【００１７】
また、携帯端末１は、レコーダ２、ＷｉＦｉルータ３、ＴＶ４に携帯端末１でタッチすると、ＮＦＣ（Near Field Communication）機能を介して、各機器の設定情報を読み取ることが可能に構成されている。携帯端末１がＷｉＦｉルータ３を介してレコーダ２内の録画コンテンツを再生させる場合、ＷｉＦｉルータ３はレコーダ２に関する情報は有しておらず、レコーダ２も有線ＬＡＮ接続のため、ＷＬＡＮ接続情報は有していない。このため、携帯端末１は１つの機器から設定に必要な情報を全て得ることはできない。同様に、レコーダ２内の録画コンテンツをＴＶ４に再生させる操作を携帯端末１から行う場合も、携帯端末１はレコーダ２、ＴＶ４それぞれから各機器の情報を得る必要がある。
【００１８】
携帯端末１は、その全体を制御する制御部１０のほか、３Ｇ／ＬＴＥ（Long Term Evolution）通信部１１、音声出力部１２、音声入力部１３、タッチパネル部１４、キー入力部１５、ＷＬＡＮ通信部１６、近距離無線通信部（ＮＦＣ通信部）１７、メモリ１８、及び記憶部１９を有する。
【００１９】
制御部１０は、プログラム保存領域に格納されたプログラムを動作させ、各種制御を行う。例えば制御部１０は、ＣＰＵ（Central Processing Unit）又はＭＰＵ（Micro Processing Unit）、作業領域としてのＲＡＭ（Random Access Memory）、及び制御プログラム（本発明に係る設定処理を実行するプログラムを含む）や各種設定内容を記憶した記憶装置などの制御デバイスで構成され、集積回路／ＩＣチップセットとして搭載することもできる。この記憶装置としては、フラッシュＲＯＭ（Read Only Memory）、ＥＥＰＲＯＭ（Electrically Erasable and Programmable  ＲＯＭ）、ハードディスクドライブ（ＨＤＤ）等が挙げられ、以下で例示するように記憶部１９を利用することもできる。
【００２０】
３Ｇ／ＬＴＥ通信部１１は、携帯電話網と接続し音声通話やパケット通信を行う。音声出力部１２は、スピーカやレシーバで構成され、携帯電話網との通話時に音声の出力を行う。音声入力部１３は、マイクから構成され携帯電話網との通話時に音声の入力を行う。
【００２１】
タッチパネル部１４は、情報の表示を行う表示部１４ａと、ユーザのタッチ操作による入力を受け付けるタッチセンサ部１４ｂと、を有する。表示部１４ａは、液晶ディスプレイ等の表示デバイスであり、タッチセンサ部１４ｂは表示部１４ａに表示させたＵＩ（User Interface）画像に対してユーザがタッチした位置を検出するセンサである。キー入力部１５は、ハードウェアのキー群を有し、それらのキーによりユーザからの入力を受け付ける。
【００２２】
ＷＬＡＮ通信部１６は、ＷＬＡＮのアクセスポイントに接続して、ＬＡＮ内の各機器との通信を行う。ＮＦＣ通信部１７は、ＮＦＣを介してＮＦＣ対応の外部機器との間でデータ通信を行う。メモリ１８は、各種制御を行う際に使用する一時メモリである。記憶部１９は、フラッシュＲＯＭ等から構成され、データやプログラムを記憶する。
【００２３】
携帯端末１は、上述のような構成により、ＮＦＣを用いてレコーダ２やＷｉＦｉルータ３からそれぞれの設定情報を取得することが可能となっている。この場合、携帯端末１をレコーダ２のＮＦＣ通信部２４やＷｉＦｉルータ３のＮＦＣ通信部にタッチさせる。一方、ＮＦＣを用いずに、例えばＢｌｕｅｔｏｏｔｈ（登録商標。以下同様。）やＢＬＥ（Bluetooth Low Energy）のような無線通信を用いて、設定情報を取得するようにしてもよい。この場合、レコーダ２やＷｉＦｉルータ３にタッチするのではなく、機器に携帯端末１を近づけた際、又は近づいた状態で携帯端末１のアプリケーションを起動するような操作を行った際に設定情報の読み取りを行う。レコーダ２がキャビネット内に設置の場合や、ＷｉＦｉルータ３が天井に設置の場合、直接タッチすることは難しいが、ＢｌｕｅｔｏｏｔｈやＢＬＥのような無線通信を用いれば、機器設置の制約をなくすることができる。
【００２４】
レコーダ２は、その全体を制御する制御部２０のほか、チューナ部２１、入力映像処理部２２、ＬＡＮ通信部２３、ＮＦＣ通信部２４、操作入力部２５、映像出力部２６、光ディスクドライブ２７、ＨＤＤ２８、及び記憶部２９を有する。
【００２５】
制御部２０は、プログラム保存領域２９ａに格納されたプログラムを動作させ、各種制御を行う。制御部１０は、ＣＰＵ又はＭＰＵ、作業領域としてのＲＡＭ、及び制御プログラム（本発明に係る設定処理に対する応答処理を実行するプログラムを含む）や各種設定内容を記憶した記憶装置などの制御デバイスで構成され、集積回路／ＩＣチップセットとして搭載することもできる。この記憶装置は、制御部１０の記憶装置と同様、例示のように記憶部２９を利用することもできる。
【００２６】
チューナ部２１は、放送波を受信し入力映像処理部２２へ伝える。入力映像処理部２２は、チューナ部２１から入力された映像信号及び音声信号のスクランブル解除処理や、映像データ及び音声データの抽出処理を行い、ＨＤＤ２８へ記録する際には所定フォーマットへの再エンコード処理を行う。ＬＡＮ通信部２３は、ネットワークアダプタ等でなり、有線ＬＡＮケーブルを介して、ネットワークへ接続する。ＨＤＤ２８に保存された録画コンテンツをＤＬＮＡの仕組みで公開し、他の機器で再生できるようにすることができる。
【００２７】
近距離無線通信部（ＮＦＣ通信部）２４は、ＮＦＣを用いて、レコーダ２にタッチした他の機器に対し、記憶部に保持されたレコーダ２のＩＤ情報を送信する。なお、ＮＦＣ通信部２４は、図１で例示したようにレコーダ２に内蔵されるものに限らず、レコーダ２のＩＤ情報をＮＦＣタグシールのようなものに予め書き込んでおき、レコーダ２とは直接接続させずに、レコーダ２に張り付けるような構成を採用してもよい。
【００２８】
操作入力部２５は、電源キーのようなハードウェアキーや、リモートコントローラからの入力により、ユーザからの操作を受け付ける。映像出力部２６は、光ディスクドライブ２７やＨＤＤ２８に保持された映像データや音声データのデコードを行った結果をHigh-Definition Multimedia Interface（ＨＤＭＩ：登録商標）ケーブルを介して、ＴＶ４に出力する。光ディスクドライブ２７は、映像データや音声データが書き込まれた、ＢＤディスクや、ＤＶＤ（Digital Versatile Disc）ディスクの読み取りを行う駆動装置である。ＨＤＤ２８は、録画したコンテンツを格納するための記憶装置である。
【００２９】
記憶部２９は、データやプログラムの格納領域であり、フラッシュＲＯＭ等から構成される。プログラム保存領域２９ａは、制御部２０上で動作させるプログラムを格納する。レコーダ固有情報保持領域２９ｂは、レコーダ２の固有情報を保持する領域である。この固有情報は、ＤＬＮＡを用いて、レコーダ２のコンテンツを他の機器から再生させる場合に、対象となるレコーダ２を判別するために用いる。
【００３０】
図２で示すように、制御部１０は、本発明の主たる特徴の１つとして設定情報取得部１０ａ及び機能選択部１０ｂを有する。制御部１０には、その他、ＮＦＣデータ解析部１０ｃ、アラート画面作成部１０ｄ、録画リスト生成部１０ｅ、ＤＬＮＡ接続制御部１０ｆ、ＷＬＡＮ接続制御部１０ｇ、ＤＬＮＡ機器検索部１０ｈ、及びＤＬＮＡ機器接続部１０ｉを有する。これらの各部１０ａ〜１０ｉは、制御プログラム（ソフトウェア又はファームウェア）として、制御部１０に実行可能に組み込まれている。
【００３１】
機能選択部１０ｂは、利用する機能（利用したい機能）をユーザが選択するための部位である。設定情報取得部１０ａは、機能選択部１０ｂで選択された機能を利用するために必要な複数の外部機器からそれぞれの外部機器の設定情報を取得する。次に各部１０ａ〜１０ｉを具体的に説明する。
【００３２】
ＮＦＣデータ解析部１０ｃは、ＮＦＣ通信部１７から取得した相手側機器の設定データを受信、解析する。設定情報取得部１０ａは、ＮＦＣタッチによってＮＦＣ通信部１７からＮＦＣデータ解析部１０ｃでの解析を経て得られた設定情報や、タッチセンサ部１４ｂ等でのユーザ入力により設定された内容を受け取り、ＷＬＡＮ接続に関する情報をＷＬＡＮ接続設定保存領域１９ａに、レコーダ２に関する設定などのＤＬＮＡ接続に関する情報をＤＬＮＡ接続設定保存領域１９ｂにそれぞれ保存する。
【００３３】
ＷＬＡＮ接続設定保存領域１９ａは、ＷＬＡＮ接続に必要となる、ＳＳＩＤ（Service Set IDentifier）やＷＬＡＮパスワード（暗号化キー）の情報を保存する領域である。パスワードとしては、ＷＥＰ（Wired Equivalent Privacy）キー等が挙げられる。ＤＬＮＡ接続設定保存領域１９ｂは、ＤＬＮＡ接続に必要となる、レコーダ２（ＤＭＳ）やＴＶ４（ＤＭＲ）の情報等を保存する領域である。
【００３４】
ＷＬＡＮ接続制御部１０ｇは、ＷＬＡＮ接続設定保存領域１９ａに記録されたＳＳＩＤやＷＬＡＮパスワードの情報に基づき、ＷｉＦｉルータ３に対する接続動作を制御する。ＤＬＮＡ接続制御部１０ｆは、設定情報に基づき、ＤＬＮＡ接続のための制御を行う。また、ＤＬＮＡ接続制御部１０ｆは、ＷＬＡＮ接続設定情報を用いて、ＷＬＡＮ接続制御部１０ｇに対してＷＬＡＮ接続を促す処理や、ネットワーク内の機器検索指示を行う。ＤＬＮＡ機器検索部１０ｈは、ＤＬＮＡ接続制御部１０ｆからの指示に基づき、ネットワーク内のＤＬＮＡ機器の検索を行う。ＤＬＮＡ接続設定保存領域１９ｂ内に保持されたレコーダ情報やＴＶ情報と合致する機器からの応答を検出できれば、応答先の機器を接続先機器とみなす。
【００３５】
機能選択部１０ｂは、ユーザからの入力により「ユーザが利用したい機能」を決定する。例えば、「レコーダ視聴用（レコーダ２でのコンテンツ視聴用）のアプリケーション」を選択する。このような選択により、設定情報取得部１０ａは、レコーダ２への接続が必要であり、その接続にはＷｉＦｉルータ３との接続が必要であると判定し、最終的にレコーダ２とＷｉＦｉルータ３の設定情報を取得することになる。但し、どの機器から情報を取得すればレコーダ視聴機能（換言すれば視聴対象コンテンツを選択するための録画リストの表示機能）が利用できるような設定ができるのかが分からない。
【００３６】
そのため、アラート画面作成部１０ｄは、レコーダ２の設定情報を取得してレコーダ２についての設定は完了しているものの、ＷｉＦｉルータ３の設定情報を取得しておらずＷＬＡＮの接続設定がない場合に、ユーザに対して対象機器に対するＮＦＣタッチ動作を促すようなアラート画面を作成し、表示部１４ａに表示させる。アラート画面作成部１０ｄは、逆にＷＬＡＮの接続は完了しているがレコーダ２の設定が完了していない場合にも、ユーザに対して対象機器に対するＮＦＣタッチ動作を促すようなアラート画面を作成し、表示部１４ａに表示させる。いずれの設定も完了していない場合には、予め定められた方の設定を促すアラート画面を表示させればよい。
【００３７】
ここで、アラート画面作成部１０ｄと表示部１４ａは、本発明の主たる特徴の１つである通知部１０ｊの一例である。通知部１０ｊは、選択された機能及び設定情報取得部１０ａで取得された設定情報に基づいて、上記複数の外部機器のうち設定情報が不足している機器（以下、未設定外部機器）を示す情報を通知する。
【００３８】
また、上記複数の外部機器の１つは、無線通信を行うためのアクセスポイントであることが好ましい。上記未設定外部機器がアクセスポイントである場合、このアクセスポイントにより携帯端末１が設定済み外部機器（この例ではレコーダ２）と無線通信を行うことが可能になる。なお、アクセスポイントとしては、ＷｉＦｉルータ３のようにアクセスポイントとルータを有する複合製品に限らず、アクセスポイントとブリッジを有する複合製品であってもよい。
【００３９】
また、上記未設定外部機器とは、上記選択された機能を使用するために設定情報が不足していて使えない機器である。また、通知部１０ｊは、音声出力部１２から音声による通知を出力するように構成することもでき、音声と表示との双方での通知を行うような構成を採用することもできる。
【００４０】
ＤＬＮＡ機器接続部１０ｉは、ＤＬＮＡ機器検索部１０ｈによって、接続先とみなされた相手に対して、対ＤＭＳの場合はリスト取得要求を行って録画リスト情報の取得を行い、対ＤＭＲの場合は指定した番組の再生指示を行う。録画リスト生成部１０ｅは、ＤＬＮＡ機器接続部１０ｉによって接続されたレコーダ２から録画リスト情報を受信し、リスト表示画面を生成する。表示部１４ａはこの画面を表示する。
【００４１】
以上のような構成により、携帯端末１では、ある機能を利用するために複数の外部機器から設定情報を取得する必要がある場合にも、その機能を利用するために設定情報が必要な外部機器をユーザに知らせるため、容易にその機能を利用できる状態になるように（必要な設定情報を取得できるように）ユーザをサポートすることができる。ここで、ＮＦＣ等の無線通信機能が具備されていた場合には、複数の外部機器から設定情報を取得する必要がある場合であってもユーザへタッチ操作を促すことにより、ユーザはどの機器から情報を取得すればいいのかを迷わずに行うことができる。
【００４２】
次に、図３及び図４を参照しながら、上述のような設定処理の一例を説明する。図３は、図１のシステムを用いて録画リスト表示処理を実行するまでの設定処理の一例を説明するためのフロー図で、図４は、図３の設定処理等で表示されるＵＩ画面（ＵＩ画像を表示させた画面）の例を示す図である。
【００４３】
まず、携帯端末１の機能選択部１０ｂは、ユーザが行ったレコーダ２への接続用のアプリケーション（レコーダ視聴用のアプリケーション）を起動するなどの操作を受け付けることで、レコーダ２への接続を選択する（Ｓ１）。通知部１０ｊは、選択された機能を利用するためにはＷｉＦｉルータ３及びレコーダ２が必要となると判定し、そのうち一方（ここではＷｉＦｉルータ３とする）について、ＷＬＡＮ接続制御部１０ｇを介してＷＬＡＮが未接続か接続済みかを判定し、未接続の場合には、ＷｉＦｉルータ３へのタッチを促す表示を行う（Ｓ２）。例えば図４（Ａ）のＵＩ画面１４ａａのように「ＷｉＦｉルータにタッチしてください」といったアラート表示を行う。ＵＩ画面１４ａａは、ＷｉＦｉの設定のために、ＷｉＦｉルータ３へタッチを促す画面例であり、「マニュアル設定を行う」がタッチされるとＷｉＦｉのマニュアル設定画面に遷移する。
【００４４】
Ｓ２のアラート表示を見たユーザが携帯端末１をＷｉＦｉルータ３にタッチする（Ｓ３）ことで、設定情報取得部１０ａが、ＮＦＣを介してＷｉＦｉルータ３からＷＬＡＮ接続情報（ＳＳＩＤ情報やパスワード情報）を取得する（Ｓ４）。ＮＦＣからは、受信データとして、例えば“WLANSSID WIFIAP”及び“WLANPASS ayjdlelmls”といったデータを取得する。この形式では、最初の８文字がデータ種別を表し、その後に設定情報が続く形式となっている。この例は、ＷｉＦｉルータ３からＷＬＡＮ接続情報を受信した場合を表している。各データ種別について説明する。“WLANSSID WIFIAP”は、ＷＬＡＮのＳＳＩＤを示し、“WLANPASS ayjdlelmls”は、ＷＬＡＮ接続時の暗号化パスワードを示し、いずれもユーザが携帯端末１をＷｉＦｉルータ３にタッチした際に取得できる。
【００４５】
ユーザは、ＵＩ画面１４ａａで「マニュアル設定を行う」を選び、図４（Ｂ）のＵＩ画面１４ａｂで直接ＷＬＡＮ接続設定を行ってもよい。ＵＩ画面１４ａｂは、ＷｉＦｉの詳細設定を行う画面であり、ＵＩ画面１４ａａで「マニュアル設定を行う」を選択し、接続するＷＬＡＮアクセスポイント（ＳＳＩＤ）を選択した後の設定画面となる。この例では、ＳＳＩＤ（ＷＩＦＩＡＰ）に接続するためのパスワードを入力する画面となっている。
【００４６】
ＷＬＡＮ接続制御部１０ｇは、Ｓ４で取得したＷＬＡＮ接続情報を用いてＷＬＡＮ接続を試みる（Ｓ５）。ＷｉＦｉルータ３とのＷＬＡＮ接続が完了する（Ｓ６）と、通知部１０ｊは、ＷＬＡＮ接続情報が取得済みであり且つ選択された機能を利用するためにはレコーダ２が必要となると判定し、レコーダ２へのタッチを促す表示を行う（Ｓ７）。例えば図４（Ｃ）のＵＩ画面１４ａｃのように、レコーダ２の設定を行うためにレコーダ２へのタッチを促すようなアラート表示を行う。ＵＩ画面１４ａｃで「マニュアル設定を行う」をタッチすると、図４（Ｄ）のＵＩ画面１４ａｄに遷移する。ＵＩ画面１４ａｄは、サーバ設定画面の例であり、ネットワーク内を検索した結果得られた、サーバ一覧（この例ではレコーダ−１２３とＭｙＰＣ）が表示されており、この中から所望のレコーダを表す名称をタッチすることで所望のレコーダを選択することが可能になっている。
【００４７】
Ｓ７の表示を見たユーザが携帯端末１をレコーダ２にタッチする（Ｓ８）と、設定情報取得部１０ａがＮＦＣを介してレコーダ２からレコーダＩＤ情報（Unique Device Name［ＵＤＮ］情報）を取得する（Ｓ９）。ここで、ＮＦＣからは、例えば“DMS＿UDN    1DA12345-0001-1010-8000-00987654321D”といった受信データが取得できる。このようなデータは、ＤＭＳを一意に識別するためのＵＤＮを示し、ユーザが携帯端末１をレコーダ２のようなＤＭＳ機器にタッチした際に取得できる。
【００４８】
Ｓ９に続いて、ＤＬＮＡ接続制御部１０ｆからの指示によりＤＬＮＡ機器検索部１０ｈがネットワーク（有線ＬＡＮ）内のサーバ機器を検索する（Ｓ１０）。具体的には、ＤＬＮＡ機器検索部１０ｈがＷＬＡＮ通信部１６を介してＷｉＦｉルータ３に対し、マルチキャストメッセージで機器検索要求（Ｍ−ＳＥＡＲＣＨ）を送出し（Ｓ１１）、これによりＷｉＦｉルータ３が有線ＬＡＮ内の機器にこの要求を転送する。
【００４９】
この要求に対し、ＤＬＮＡ機器検索部１０ｈは、サーバ機器であるレコーダ２のほか、ＰＣ５からも機器情報の応答を受け取る（Ｓ１２）。受け取る機器情報には、機器のＩＤ情報、ＩＰアドレス等が含まれている。ＤＬＮＡ機器接続部１０ｉは、応答結果中のＩＤ情報とＮＦＣから取得したレコーダＩＤ情報との比較を行い、合致した機器に対してＷＬＡＮ通信部１６を介して接続を行い（Ｓ１３）、録画リスト取得要求を行う（Ｓ１４）。
【００５０】
この録画リスト取得要求を受けたレコーダ２は録画リスト情報を応答し、ＤＬＮＡ機器接続部１０ｉがその応答を受け取り（Ｓ１５）、録画リスト生成部１０ｅが、受け取った応答に基づき表示部１４ａに図４（Ｅ）のＵＩ画面１４ａｅのようなレコーダ２の録画リストを表示させる（Ｓ１６）。この録画リストは、各録画番組をタッチすることで、該当番組のコンテンツを携帯端末１上で再生することが可能となっている。
【００５１】
以上、図３で例示する設定処理では、最初にユーザが選択した機能に基づき、必要な設定情報を得るためのタッチ先を提示している。これにより、複数の外部機器から設定情報を得る必要があっても、ユーザが迷うことなく、必要な設定を行うことが可能となる。
【００５２】
また、この設定処理では、必要な設定情報が揃ったら、自動的にＷＬＡＮをＯＮにし、レコーダ２の設定を行い、録画リストの表示画面に遷移している。このように、携帯端末１は、通知部１０ｊでの通知後、未設定外部機器の設定情報が取得できた場合（つまり不足が解消された場合）、選択された機能を利用可能な状態にすることが好ましい。
【００５３】
（第２の実施形態）
本発明に係る第２の実施形態では、携帯端末１の機能選択部１０ｂが、利用する機能に必要な複数の外部機器のうち所定の外部機器をユーザがタッチする等により選択することにより、利用する機能を選択するように構成されている点が第１の実施形態と異なる。他の点は同様であり、その説明を省略する。具体的に、図５を参照しながら説明する。図５は、図１のシステムを用いて録画リスト表示処理を実行するまでの設定処理の他の例を説明するためのフロー図である。
【００５４】
上記所定の外部機器がレコーダ２である場合を例にして説明する。本実施形態における機能選択部１０ｂは、最初に携帯端末１をレコーダ２にタッチした場合、ユーザが利用したい機能はレコーダ２への接続機能が必要であると判定する（この場合には、ユーザからの個別の利用機能を入力する操作は必要としない）。なお、最初に携帯端末１をＷｉＦｉルータ３にタッチした場合には、ブラウザの使用など他の用途も想定されるため、使用（利用）機能は一意に決まらないため、別途、利用機能をユーザが選択する必要がある。
【００５５】
まず、ユーザが携帯端末１をレコーダ２にタッチする（Ｓ２１）ことで、設定情報取得部１０ａが、ＮＦＣを介してレコーダ２からレコーダＩＤ情報を取得する（Ｓ２２）。ここで、通知部１０ｊは、不足している設定情報がある場合、別の機器へのタッチ動作を促す。この例では、通知部１０ｊは、ＤＬＮＡ接続制御部１０ｆからの情報により、レコーダ２が設定済みであり且つレコーダ２への接続にはＷＬＡＮ接続が必要となると判定する。そして、ＷＬＡＮ接続制御部１０ｇがＷＬＡＮ接続の状態を判定し、未接続の場合（ＷｉＦｉへの接続設定情報が得られていない場合）には、通知部１０ｊがＷｉＦｉルータ３へのタッチを促す表示を行う（Ｓ２３）。例えばＵＩ画面１４ａａのようなアラート表示を行う。
【００５６】
この表示を見たユーザが携帯端末１をＷｉＦｉルータ３にタッチする（Ｓ２４）ことで、Ｓ４と同様にＷＬＡＮ接続情報を取得し（Ｓ２５）、必要な設定情報が揃ったら、ＷＬＡＮをＯＮにし、レコーダ２設定を実行して、録画番組リスト画面に遷移する。具体的には、まずＳ５の処理を行い（Ｓ２６）、ＷｉＦｉルータ３とのＷＬＡＮ接続が完了する（Ｓ２７）と、Ｓ１０〜Ｓ１６と同じ処理を行う（Ｓ２８〜Ｓ３４）。
【００５７】
図５で例示する設定処理では、ユーザが利用したい機能を選択することなく、最初にユーザが携帯端末１をレコーダ２にタッチした場合を示している。レコーダ２にタッチした場合には、明示的な機能選択はなくても、レコーダ２のほかに設定情報が必要となるＷｉＦｉルータ３へのタッチ操作を促すことで、ユーザが迷うことなく必要な設定を行うことができる。ＮＦＣタッチ操作だけで設定が完了するため、ユーザの設定の手間をさらに少なくすることができる。
【００５８】
（第３の実施形態）
本発明に係る第３の実施形態では、ＷｉＦｉルータ３、レコーダ２に加えて、さらにＴＶ４に対する設定も行う点が第１の実施形態と異なる。他の点は同様であり、その説明を省略する。具体的に、図６を参照しながら説明する。図６は、図１のシステムを用いて録画番組再生処理を実行するまでの設定処理の一例を説明するためのフロー図である。
【００５９】
まず、携帯端末１の機能選択部１０ｂが、ユーザ操作に従いレコーダ２に接続する機能の利用を選択する（Ｓ４１）。この機能の利用にはＷＬＡＮ接続が必要となるため、携帯端末１は、Ｓ２と同様、ＷＬＡＮ未接続の場合、ＷｉＦｉルータ３へのタッチを促す表示を行う（Ｓ４２）。その後、Ｓ３〜Ｓ１５と同様の処理により、レコーダ２の設定及び録画リスト情報の受け取りを行う（Ｓ４３〜Ｓ５５）。なお、Ｓ５２ではＳ１２と異なり、ＴＶ４からも機器情報の応答を受け取る。
【００６０】
続いて、携帯端末１の録画リスト生成部１０ｅは、Ｓ５５で受け取った応答に基づき、表示部１４ａに図４（Ｅ）のＵＩ画面１４ａｅのようなレコーダ２の録画リストを表示させる（Ｓ５６）。この録画リストは、各録画番組をタッチすることで、図４（Ｆ）のＵＩ画面１４ａｆで例示したように、該当番組のコンテンツを再生する機器を選択可能になっている。具体的には、Ｓ５６において、ＵＩ画面１４ａｅでレコーダ２の録画番組の中から視聴したい番組（例えばＮＮＮニュース）をユーザが選択すると、ＵＩ画面１４ａｆのように「端末（携帯端末１）で再生」させるか、「ＴＶ（ＴＶ４）で再生」させるか、選択された番組の「詳細情報」を閲覧するかを、ユーザが選択可能なポップアップ画像を表示する。「端末で再生」が選択された場合には図３と同様である。
【００６１】
ここで、Ｓ５６では、該当番組を携帯端末１ではなくＴＶ４で再生させるような選択がなされたものとして、Ｓ５７以降の処理を説明する。この場合、ＤＬＮＡ接続制御部１０ｆはＴＶ４が設定済みであるか否かを判定し、通知部１０ｊは、未設定であった場合、ＴＶ４へのタッチを促す表示を行う（Ｓ５７）。この表示を見たユーザが携帯端末１をＴＶ４にタッチする（Ｓ５８）と、設定情報取得部１０ａがＮＦＣを介してＴＶ４からＴＶ  ＩＤ情報（ＵＤＮ情報）を取得する（Ｓ５９）。ここで、ＮＦＣからは、例えば“DMR＿UDN    12345678-0001-1010-8000-00123467891D”といった受信データが取得できる。このようなデータは、ＤＭＲを一意に識別するためのＵＤＮを示し、ユーザが携帯端末１をＴＶ４のようなＤＭＲ機器にタッチした際に取得できる。
【００６２】
Ｓ５９に続いて、ＤＬＮＡ接続制御部１０ｆからの指示によりＤＬＮＡ機器検索部１０ｈがネットワーク（有線ＬＡＮ）内のＤＭＲ機器を検索する（Ｓ６０）。具体的には、ＤＬＮＡ機器検索部１０ｈがＷＬＡＮ通信部１６を介してＷｉＦｉルータ３に対し、マルチキャストメッセージで機器検索要求（Ｍ−ＳＥＡＲＣＨ）を送出し（Ｓ６１）、これによりＷｉＦｉルータ３が有線ＬＡＮ内の機器にこの要求を転送する。
【００６３】
この要求に対し、ＤＬＮＡ機器検索部１０ｈは、ＤＭＲ機器であるＴＶ４のほか、ＰＣ５やレコーダ２からも機器情報の応答を受け取る（Ｓ６２）。受け取る機器情報には、機器のＩＤ情報、ＩＰアドレス等が含まれている。ＤＬＮＡ機器検索部１０ｈは、応答結果中のＩＤ情報とＮＦＣから取得したＴＶ  ＩＤ情報との比較を行い、合致した機器を再生相手（再生先）であると認識する（Ｓ６３）。
【００６４】
次いで、携帯端末１のＤＬＮＡ機器接続部１０ｉは、ＷＬＡＮ通信部１６を介して、番組再生指示をその再生相手（ＴＶ４）に送信する（Ｓ６４）。この番組再生指示に対して、ＴＶ４はレコーダ２にその番組のコンテンツデータの取得要求を発し（Ｓ６５）、レコーダ２はその取得要求に応じてコンテンツデータを配信する（Ｓ６６）。ここでは、Ｓｅｔ  ＡＶＴｒａｎｓｐｏｒｔ  ＵＲＩ（Uniform Resource Identifier）コマンドにて、ＴＶ４に対し、再生すべき番組の情報を通知した後、Ｐｌａｙコマンドを発行する。ＴＶ４は、受け取ったＵＲＩ情報に基づき、レコーダ２から指定のコンテンツデータを受け取り、再生を実施する。
【００６５】
図６で例示する設定処理では、レコーダ２の録画番組をＴＶ４で再生させる場合を示している。録画リストを携帯端末１に表示させるまでは、ＴＶ４の設定情報は不要であるが、取得した録画リストに対して、ＴＶ４での再生を指示した場合には、ＴＶ４での設定情報が必要となる。この場合に、ＴＶ４へのタッチを促すことにより、必要な設定情報を得るための操作をユーザが迷うことなく実施させることができる。また、本実施形態においても、第２の実施形態のように最初にレコーダ２又はＴＶ４にタッチするような処理を採用することもできる。
【００６６】
（その他）
図７を参照しながら、第１〜第３の実施形態の処理例の全てに対応した動作を行う携帯端末１について説明する。図７は、図１（図２）の端末装置の動作の一例を説明するためのフロー図で、図３、図５、及び図６の処理に対応した端末装置の動作を説明するためのフロー図である。この処理の説明において、第１〜第３の実施形態と同様の点についての説明は省略している部分もある。
【００６７】
まず、機能選択部１０ｂがユーザ操作に従いユーザが利用する機能（利用機能）を選択する（Ｓ７１）。ここで、利用機能がレコーダ２内のコンテンツの再生機能である場合（レコーダ視聴用のアプリケーションが起動された場合）について説明する。
【００６８】
この場合、ＤＬＮＡ接続制御部１０ｆはレコーダ２が設定済みであるか否かを判定し（Ｓ７２）、ＹＥＳであった場合、ＷＬＡＮ接続制御部１０ｇはＷｉＦｉルータ３によるＷＬＡＮ接続済みであるか否かを判定する（Ｓ７４）。Ｓ７４でＮＯの場合、Ｓ１と同様に通知部１０ｊがＷｉＦｉルータ３へのタッチを促すアラートを表示させ（Ｓ７５）、設定情報取得部１０ａが、Ｓ３，Ｓ４と同様にしてＮＦＣタッチによりＷｉＦｉルータ３の設定情報であるＷＬＡＮ接続情報を取得する（Ｓ７６）。Ｓ７２でＮＯの場合には、Ｓ７と同様に通知部１０ｊがレコーダ２へのタッチを促すアラートを表示させてから（Ｓ７３）、Ｓ７６へ進み、設定情報取得部１０ａが同様にしてＳ７６においてレコーダ２の設定情報であるレコーダＩＤ情報を取得する。Ｓ７６では、ＮＦＣ通信部１７からの受信データをＮＦＣデータ解析部１０ｃが解析し、設定情報として認識されたものである場合には、設定情報取得部１０ａに渡すようにしておけばよい。
【００６９】
Ｓ７６に続き、設定情報取得部１０ａは、ＷＬＡＮ接続情報を取得したのか否かを判定し（Ｓ７７）、ＹＥＳの場合には、取得したＷＬＡＮ接続情報をＷＬＡＮ接続設定保存領域１９ａに記録すると共にＷＬＡＮ接続制御部１０ｇに送り、ＷＬＡＮ接続制御部１０ｇがＷＬＡＮ接続動作を実行し（Ｓ７９）、Ｓ７２に戻る。ＤＬＮＡ接続制御部１０ｆは、取得した設定情報に基づき、ＷＬＡＮ接続制御部１０ｇに対してＷＬＡＮ接続を要求する。ＷＬＡＮ接続制御部１０ｇでは、設定情報のＳＳＩＤに対して接続動作を行う。その際の接続用パスワードには設定情報に含まれるパスワードの情報を用いる。
【００７０】
Ｓ７７でＮＯの場合には、設定情報取得部１０ａは、レコーダＩＤ情報を取得したのか否かを判定し（Ｓ８０）、ＮＯの場合にはＳ７２に戻り、ＹＥＳの場合にはＤＬＮＡ接続設定保存領域１９ｂに取得したレコーダ情報を設定情報として記録し、Ｓ７２に戻る。
【００７１】
Ｓ７４でＹＥＳの場合（レコーダ２及びＷｉＦｉルータ３の双方が設定済みとなった場合、つまり必要な設定情報が全て揃ったと確認できた場合）、Ｓ１０と同様にＤＬＮＡ接続制御部１０ｆからの指示によりＤＬＮＡ機器検索部１０ｈがネットワーク（有線ＬＡＮ）内のサーバ機器を検索する（Ｓ８２）。
【００７２】
ＤＬＮＡ機器検索部１０ｈは、ＤＬＮＡ接続設定保存領域１９ｂに保持しているレコーダＩＤ情報と合致する機器からの応答があったか否かを判定する（Ｓ８３）。Ｓ８３でそのような応答が見つからなかった場合には、レコーダ２の電源が入っていない、ＬＡＮケーブルが接続されていないなどのトラブルが考えられる。よって、Ｓ８３でＮＯの場合には、アラート画面作成部１０ｄがトラブルシューティング画面を作成し、表示部１４ａに表示させる。そして、ユーザのチェックが完了した後、Ｓ８２に戻り、ＤＬＮＡ接続制御部１０ｆは再度ＤＬＮＡ機器検索部１０ｈに指示して接続動作を試みる。
【００７３】
Ｓ８３でＹＥＳの場合、ＤＬＮＡ機器検索部１０ｈは応答した機器を接続先と見なし、ＤＬＮＡ機器接続部１０ｉがその接続先（レコーダ２）に接続し、録画リスト取得要求を行い、その要求に応答して受信した録画リスト情報に基づき録画リスト生成部１０ｅが録画リストを生成し、表示部１４ａに表示させる（Ｓ８５）。第３の実施形態で説明したように、この録画リストでレコーダ２の録画番組の中から視聴したい番組をユーザが選択すると、ＵＩ画面１４ａｆのように「端末で再生」、「ＴＶで再生」、「詳細情報」の中からユーザ選択可能なポップアップ画像が表示されるようになっている。
【００７４】
Ｓ８５に続き、ＤＬＮＡ接続制御部１０ｆは、ユーザが「ＴＶで再生」を選択したか否かを判定し（Ｓ８６）、ＮＯの場合にはレコーダ２の対象の番組を携帯端末１で再生し（Ｓ９６）、処理を終了する。なお、「詳細情報」が選択された場合の説明は省略する。
【００７５】
Ｓ８６でＹＥＳの場合には、Ｓ５７のように、ＤＬＮＡ接続制御部１０ｆはＴＶ４が設定済みであるか否かを判定し（Ｓ８７）、未設定であった場合（ＮＯの場合）、通知部１０ｊがＴＶ４へのタッチを促す表示を行う（Ｓ８８）。この表示を見たユーザが携帯端末１をＴＶ４にタッチすると、設定情報取得部１０ａがＮＦＣを介して設定情報を取得する（Ｓ８９）。設定情報取得部１０ａは、ＴＶ  ＩＤ情報を取得したのか否かを判定し（Ｓ９０）、ＮＯの場合にはＳ８９に戻り、ＹＥＳとなるまで待ち、ＹＥＳとなった場合にはＤＬＮＡ接続設定保存領域１９ｂに取得したＴＶ  ＩＤ情報を設定情報として記録する。
【００７６】
Ｓ９１に続いて、並びにＳ８７でＹＥＳの場合、Ｓ６０と同様に、ＤＬＮＡ接続制御部１０ｆがＤＬＮＡ機器検索部１０ｈに指示してネットワーク（有線ＬＡＮ）内のＤＭＲ機器を検索させる（Ｓ９２）。ＤＬＮＡ機器検索部１０ｈは、Ｓ６３と同様に、ＤＬＮＡ接続設定保存領域１９ｂに保持しているＴＶ  ＩＤ情報と合致する機器からの応答があったか否かを判定する（Ｓ９３）。Ｓ９３でそのような応答が見つからなかった場合には、ＴＶ４の電源が入っていない、ＬＡＮケーブルが接続されていないなどのトラブルが考えられる。よって、Ｓ９３でＮＯの場合には、Ｓ８４と同様に、アラート画面作成部１０ｄがトラブルシューティング画面を作成し、表示部１４ａに表示させる。そして、ユーザのチェックが完了した後、Ｓ９２に戻り、ＤＬＮＡ接続制御部１０ｆは再度ＤＬＮＡ機器検索部１０ｈに指示して接続動作を試みる。
【００７７】
Ｓ９３でＹＥＳの場合、ＤＬＮＡ機器接続部１０ｉは、ＷＬＡＮ通信部１６を介して、番組再生指示をその再生相手（ＴＶ４）に送信する（Ｓ９５）。この番組再生指示に対しては、Ｓ６５，Ｓ６６で説明したような処理で番組再生がなされる。
【００７８】
また、第１〜第３の実施形態では、端末装置としてスマートフォン等の携帯型の端末装置を例に挙げて説明した。携帯型の端末装置とは異なり設置型の端末装置では、タッチといった処理ができない。よって、設置型の端末装置の場合、上記通知部による未設定外部機器を示す情報の表示部又は音声出力部での通知に従って、端末装置の画面上で各外部機器の設定情報を取得する操作を行っていけばよい。
【００７９】
以上、本発明に係る端末装置について説明したが、処理の流れをフロー図で例示したように、本発明は、端末装置における設定方法やその方法をコンピュータに実行させるためのプログラムとしての形態も採り得る。この方法においても、未設定外部機器を示す情報を通知する点に主たる特徴を有する。その他の応用例については、端末装置について説明した通りであり、その説明を省略する。
【符号の説明】
【００８０】
１…携帯端末、２…レコーダ、３…ＷｉＦｉルータ、４…ＴＶ、５…ＰＣ、１０ａ…設定情報取得部、１０ｂ…機能選択部、１０ｊ…通知部。
【図１】
2015053535.tif 000003
【図２】
2015053535.tif 000004
【図３】
2015053535.tif 000005
【図４】
2015053535.tif 000006
【図５】
2015053535.tif 000007
【図６】
2015053535.tif 000008
【図７】
2015053535.tif 000009